(57)【特許請求の範囲】
【請求項１】
筐体内に弾性的に吊支した外槽と、回転中心軸を略鉛直方向に有し前記外槽内に回転自在に支持した内槽と、前記内槽の内底部に回転自在に設けた攪拌翼と、前記内槽または前記攪拌翼を回転させるモータと、前記モータの回転を前記内槽と前記攪拌翼のいずれかに切り換えて伝達し、かつ前記攪拌翼回転時には前記内槽を固定しない状態を実現し得る駆動手段と、前記内槽内に循環風を送風する送風手段と、前記送風手段により送風される空気を加熱する加熱手段と、前記モータ、駆動手段、送風手段、及び加熱手段の動作を制御する制御手段を備え、前記制御手段は、乾燥行程において前記内槽を固定しない状態で前記攪拌翼を正転反転させながら乾燥する槽フリー攪拌モードと、前記内槽を前記モータで回転させながら乾燥する槽回転モードと、前記内槽を固定した状態で前記攪拌翼のみを回転させて乾燥する槽固定攪拌モードとを有し、乾燥初期は槽回転モードを行い、その後前記槽フリー攪拌モードと前記槽回転モードとを繰返し、乾燥終了近くは槽固定攪拌モードを行うようにした洗濯乾燥機。
【請求項２】
制御手段は、乾燥行程において乾燥の進行とともに槽回転モードの時間を短く、槽フリー攪拌モードの時間を長くした請求項１記載の洗濯乾燥機。
【請求項３】
制御手段は、槽フリー攪拌モードにおいて、モータのＯＮ／ＯＦＦを時間制御することで攪拌翼を正転反転させ、ＯＦＦ時間を内槽の惰性回転が停止するのに十分な長さの時間とした請求項１または２記載の洗濯乾燥機。
【請求項４】
内槽の回転を検知する内槽回転検知手段を備え、制御手段は槽フリー攪拌モードにおいて、正転反転切換え時に、内槽の惰性回転が停止するのを検知してからモータをＯＮするようにした請求項１または２記載の洗濯乾燥機。
【請求項５】
内槽の内壁側面に垂直方向のリブを設けた請求項１〜４のいずれか１項に記載の洗濯乾燥機。
【請求項６】
リブの高さは攪拌翼の外周近傍では０で、上方に向けて前記内槽の内壁から内方へ突出するようにテーパ状に設けられ、かつ、リブの上端の高さは０で、下方に向けて前記内槽の内壁から内方へ突出するようにテーパ状に設けた請求項５記載の洗濯乾燥機。
【請求項７】
リブの上端は内槽の高さ方向の略中央部に位置するように設けた請求項５または６記載の洗濯乾燥機。
【発明の詳細な説明】
【０００１】
【発明の属する技術分野】
本発明は、回転中心軸を略鉛直方向に有する内槽内に温風を送風して洗濯物を乾燥させる行程を有し、洗濯から乾燥までを一貫して実施できる洗濯乾燥機に関するものである。
【０００２】
【従来の技術】
従来、この種の洗濯乾燥機は、筐体内に弾性的に吊支した外槽内に、回転中心軸を鉛直方向に有する内槽を回転自在に支持し、内槽の内底部に攪拌翼を回転自在に設け、洗い行程、すすぎ行程では、攪拌翼を回転して内槽内で衣類の洗濯、すすぎを行うともに、脱水行程では、内槽を高速回転させて脱水し、脱水行程につづく乾燥行程では、加熱装置により加熱した空気を送風機により内槽内に送風して乾燥するよう構成している。
【０００３】
上記構成においてその動作を簡単に説明すると、脱水行程終了後に内槽を停止した状態で、攪拌翼を回転速度１３０ｒ／ｍｉｎで１秒ＯＮ、０．５秒ＯＦＦの周期で正転反転を２〜３往復させる、布はがし行程を行い、脱水時に内槽の内壁面に遠心力によって張り付いた衣類をはがす。
【０００４】
つぎに、この布はがし行程の後に乾燥行程に入り、まず内槽を停止した状態で攪拌翼を回転速度１３０ｒ／ｍｉｎで０．５秒ＯＮ、０．５秒ＯＦＦの周期で正転反転を繰り返して衣類を上下に入れ替える、ほぐし行程を行い、次に内槽及び攪拌翼を停止した状態で加熱装置により加熱された温風を内槽に数分間供給して衣類を乾燥させる。そして、乾燥度合いを判定し、乾燥していれば乾燥行程を終了するが、未乾燥であれば再度上記のほぐし行程と乾燥運転を繰り返すようにしている。
【０００５】
【発明が解決しようとする課題】
このような従来の洗濯乾燥機では、攪拌翼回転によるほぐし行程において、攪拌翼回転の遠心力により外周方向に移動させられる衣類は内槽の側面と接触するが、このとき衣類は回転方向の速度をもっているため、停止している内槽との間に速度差が生じる。これにより、内槽との摩擦による、衣類のねじれやからみが発生し、しわがひどくなったり、乾燥むらが生じる可能性がある。
【０００６】
本発明は上記従来の課題を解決するもので、乾燥行程において内槽を固定しない状態で攪拌翼を正転反転させることで、攪拌翼により衣類を上下に入れ替える際の衣類と内槽との摩擦を抑え、衣類のねじれやからみを抑制し、しわの発生を抑え、むらなく乾燥させることを目的としている。
【０００７】
【課題を解決するための手段】
上記目的を達成するために、本発明の洗濯乾燥機は、制御手段により、乾燥行程において内槽を固定しない状態で攪拌翼を正転反転させながら乾燥する槽フリー攪拌モードと、前記内槽をモータで回転させながら乾燥する槽回転モードと、前記内槽を固定した状態で前記攪拌翼のみを回転させて乾燥する槽固定攪拌モードとを有し、乾燥初期は槽回転モードを行い、その後前記槽フリー攪拌モードと前記槽回転モードとを繰返し、乾燥終了近くは槽固定攪拌モードを行うようにしたものである。
【０００８】
これにより、乾燥行程での衣類の含水量に応じて衣類を適切に動かす細かい制御ができ、しわの発生を抑え、むらなく乾燥させることができる。
【０００９】
【発明の実施の形態】
請求項１に記載の発明は、筐体内に弾性的に吊支した外槽と、回転中心軸を略鉛直方向に有し前記外槽内に回転自在に支持した内槽と、前記内槽の内底部に回転自在に設けた攪拌翼と、前記内槽または前記攪拌翼を回転させるモータと、前記モータの回転を前記内槽と前記攪拌翼のいずれかに切り換えて伝達し、かつ前記攪拌翼回転時には前記内槽を固定しない状態を実現し得る駆動手段と、前記内槽内に循環風を送風する送風手段と、前記送風手段により送風される空気を加熱する加熱手段と、前記モータ、駆動手段、送風手段、及び加熱手段の動作を制御する制御手段を備え、前記制御手段は、乾燥行程において前記内槽を固定しない状態で前記攪拌翼を正転反転させながら乾燥する槽フリー攪拌モードと、前記内槽を前記モータで回転させながら乾燥する槽回転モードと、前記内槽を固定した状態で前記攪拌翼のみを回転させて乾燥する槽固定攪拌モードとを有し、乾燥初期は槽回転モードを行い、その後前記槽フリー攪拌モードと前記槽回転モードとを繰返し、乾燥終了近くは槽固定攪拌モードを行うようにしたものであり、乾燥行程での衣類の含水量に応じて衣類を適切に動かす細かい制御ができ、しわの発生を抑え、むらなく乾燥させることができる。
【００１０】
請求項２に記載の発明は、上記請求項１に記載の発明において、制御手段は、乾燥行程において乾燥の進行とともに槽回転モードの時間を短く、槽フリー攪拌モードの時間を長くしたことにより、衣類の入れ替えの頻度を上げて、むらなく乾燥を進行させることができる。
【００１１】
請求項３に記載の発明は、上記請求項１または２に記載の発明において、制御手段は、槽フリー攪拌モードにおいて、モータのＯＮ／ＯＦＦを時間制御することで攪拌翼を正転反転させ、ＯＦＦ時間を内槽の惰性回転が停止するのに十分な長さの時間としたものであり、これにより、攪拌翼を例えば右回転させたときに発生する内槽の右回転回りの惰性回転が終わらないうちに、攪拌翼を左回転させることがない。このため、内槽と共に回転する衣類にカウンターの回転力を加えてしまうことで、ねじれやからみを発生させるようなことがないので、しわの発生を抑え、むらなく乾燥させることができる。
【００１２】
請求項４に記載の発明は、上記請求項１または２に記載の発明において、内槽の回転を検知する内槽回転検知手段を備え、制御手段は槽フリー攪拌モードにおいて、正転反転切換え時に、内槽の惰性回転が停止するのを検知してからモータをＯＮするようにしたものであり、これにより、攪拌翼を例えば右回転させたときに発生する内槽の右回転回りの惰性回転が終わらないうちに、攪拌翼を左回転させることがない。このため、内槽と共に回転する衣類にカウンターの回転力を加えてしまうことで、ねじれやからみを発生させるようなことがないので、しわの発生を抑え、むらなく乾燥させることができる。
【００１３】
請求項５に記載の発明は、上記請求項１〜４のいずれか１項に記載の発明において、内槽の内壁側面に垂直方向のリブを設けたものであり、槽フリー攪拌モードにおいて攪拌翼を正転反転させることで発生する遠心力により攪拌翼の外周方向に跳ね上げられた衣類が内槽の内壁側面と接触する際の内槽の供回りを、確実に引き起こすことができるため、衣類と供回り後の内槽との摩擦を確実に小さくすることができ、衣類のねじれやからみを抑制し、しわの発生を抑え、むらなく乾燥させることができる。
【００１４】
請求項６に記載の発明は、上記請求項５に記載の発明において、リブの高さは攪拌翼の外周近傍では０で、上方に向けて前記内槽の内壁から内方へ突出するようにテーパ状に設けられ、かつ、リブの上端の高さは０で、下方に向けて前記内槽の内壁から内方へ突出するようにテーパ状に設けたものであり、槽フリー攪拌モードにおいて攪拌翼を正転反転させることで発生する遠心力により攪拌翼の外周方向に跳ね上げられた衣類が内槽の内壁側面と接触する際に、リブの下部により跳ね上げが妨害されることなく、内槽の供回りを安定して引き起こすことができるため、衣類のねじれやからみを抑制し、しわの発生を抑え、むらなく乾燥させることができる。
【００１５】
請求項７に記載の発明は、上記請求項５または６に記載の発明において、リブの上端は内槽の高さ方向の略中央部に位置するように設けたものであり、リブが内槽の上部まで伸びていないため、使用者が衣類を投入する際にリブが物理的、心理的な障害となることがない。
【００１６】
【実施例】
（実施例１）
本発明の実施例１について、図１〜図３を参照しながら説明する。筐体１１は、内部に、複数のサスペンション１２によって外槽１３を弾性的に吊り下げて支持し、運転時の振動をサスペンション１２によって吸収する構成としている。外槽１３の内部には、回転中心軸を略鉛直方向に有し衣類を収容する内槽１４を回転自在に支持し、内槽１４の内底部に衣類を撹拌する攪拌翼１５を回転自在に設けている。攪拌翼１５は、内側に衣類を引っ掛けるリブ１７を備え、外周側にはテーパ部１６が設けられ鍋型に形成されている。
【００１７】
内槽１４の内部周壁には多数の脱水孔１８を設け、その上方には流体バランサ１９を設けている。そして、外槽１３の底部には、モータ２０とモータ２０の回転を内槽１４及び攪拌翼１５に伝達する駆動手段が取り付けられている。
【００１８】
駆動手段は、内槽１４に連結される中空の脱水軸２１と、脱水軸２１の中空部に配され、かつ、上端を攪拌翼１５に連結し、下端をモータ２０のロータ２０ａに連結した洗濯軸２２と、脱水軸２１と摺動可能に嵌合して上下動することでロータ２０ａの回転の脱水軸２１への伝達、非伝達切換えを行うクラッチ板２５、クラッチ板２５を上下動させるクラッチレバー２６、及びクラッチレバー２６を駆動させるギアードモータ３９などから構成される。
【００１９】
図１に示すように、クラッチ板２５は可動範囲の下側にあるときには、クラッチ板２５の下側に設けた下歯２５ａと、ロータ２０ａに設けた回転歯２０ｂとがかみ合うことで、ロータ２０ａの回転が脱水軸２１を介して内槽１４へと伝達される。図２に示すように、クラッチ板２５をギアードモータ３９により駆動されるクラッチレバー２６により可動範囲の上方へ移動させると、クラッチ板２５の下歯２５ａとロータ２０ａの回転歯２０ｂとのかみ合いが外れ、ロータ２０ａの回転が洗濯軸２２を介して攪拌翼１５のみへと伝達される。このとき、クラッチ板２５の上側に設けた上歯２５ｂと静止部位２７に設けた静止歯２７ａとはかみ合っておらず、脱水軸２１は固定されていないので、内槽１４は回転フリーの状態にある。クラッチ板２５をさらに上方へ移動させると、図３に示すように、クラッチ板２５の上側に設けた上歯２５ｂと静止部位２７に設けた静止歯２７ａとがかみ合い、脱水軸２１を固定し、内槽１４を固定する。
【００２０】
制御手段３８は、ギアードモータ３９を駆動させ、クラッチレバー２６を介して、上記３つのクラッチ状態を必要に応じて切り換えることができる。
【００２１】
外槽１３の下部から、伸縮自在の下部蛇腹状ホース２８を介して循環ダクト２９へと通路を構成し、循環ダクト２９の出口は乾燥用送風機（送風手段）３０の入口に連結している。乾燥用送風機３０の出口は通路２９ａに連結し、この通路２９ａ内にヒータ（加熱手段）３１を設け、通路２９ａに伸縮自在の上部蛇腹状ホース３２を連結している。上部蛇腹状ホース３２の先には噴出ダクト３３がつながり、内槽１４へ向けて開口している。内槽１４は、内部周壁の脱水孔１８を通して外槽１３に通じているので、これら通路は循環経路を構成している。
【００２２】
また、外槽１３の上部には開閉自在の蓋３５を設けており、使用者が衣類を出し入れする際に、開けることができ、乾燥運転させるときには、閉じることで循環経路を密閉する。冷却用送風機３６は、筐体１１の側面に取り付けられ、内槽１４の下部及び循環ダクト２９を冷却するように構成している。排水弁３７は外槽３内の水を、排水ホース４３を通して排水するものである。
【００２３】
制御手段３８はモータ２０、駆動手段、乾燥用送風機３０、ヒータ３１、冷却用送風機３６、及び排水弁３７などの動作を制御して、洗濯、すすぎ、脱水及び乾燥行程を制御する。
【００２４】
上記構成において動作を説明する。まず、洗濯行程では、制御手段３８は図１のようにクラッチ板２５が可動範囲の下部にある状態でモータ２０を駆動させることにより、衣類と洗濯水の入った内槽１４を回転させる。このとき、排水弁３７は閉じている。
【００２５】
このことにより、内槽１４内の洗濯水の外周部分は、遠心力により上昇する。これに伴い、内槽１４と外槽１３の間の洗濯水は外槽１３の内壁に沿って上昇した後、内槽１４の上部から内槽１４内に散水され、循環することになる。これにより、内槽１４内では洗濯水が衣類を通過することになり洗浄される。
【００２６】
その後、洗い行程と同様にして衣類をすすぐすすぎ行程を経て、脱水行程では、排水弁３７を開くことにより、排水ホース４３から排水し、次に図１のようなクラッチ状態で、モータ２０を駆動させ、衣類が入った内槽１４を高速で回転させる。これにより生じる遠心力により、衣類は内槽１４の内壁に押しつけられ、この遠心力で水分が衣類から分離されて脱水孔１８から外槽１３へと抜け、排水ホース４３より排水され、脱水行程が進行する。
【００２７】
乾燥行程では、乾燥用送風機３０の送風とヒータ３１の発熱により、上部蛇腹状ホース３２、噴出ダクト３３を通して内槽１４へ乾いた温風が送り込まれる。内槽１４へ送り込まれた温風は、これら衣類の隙間を通るときに衣類から水分を奪い、湿った状態で、内槽１４から外槽１３の内側へと出た後、下部蛇腹状ホース２８を通過し、循環ダクト２９へ至る。湿気を含んだ温風が、外槽１３の内壁や循環ダクト２９内を通過しているとき、冷却用送風機３６により、外槽１３の下部や循環ダクト２９の外壁は冷却されることになり、湿った空気の水分はその内壁に結露し、湿った温風は除湿されて、乾燥用送風機３０へと戻る。外槽１３及び循環ダクト２９の内壁に結露した水は、排水弁３７を必要に応じて開くことで、排水ホース４３より排出される。そして乾燥行程終了後に、ヒータ３１を切り、乾燥用送風機３０、冷却用送風機３６を駆動する送風行程を行い、乾燥した衣類をクールダウンさせた後に終了する。ここでは、湿った温風を冷却する手段として冷却空気を用いる空冷除湿方式としているが、水冷除湿方式のものであっても構わない。
【００２８】
乾燥行程において、制御手段３８はモータ２０、駆動手段、乾燥用送風機３０、ヒータ３１、冷却用送風機３６の動作を以下の説明の通りに制御する。洗濯行程が終了して乾燥行程に入ると、まず、洗濯行程の最後の脱水で衣類が内槽１４の壁面に張り付いているので、これをはがし、そして十分にほぐして、衣類の空気との接触面積が大きくなるようにするために布はがし行程を行う。
【００２９】
具体的には、ギアードモータ３９を駆動させ、クラッチレバー２６を介して、クラッチ板２５を上方へ移動させ、図３に示すようなクラッチ状態でモータ２０を０．４秒ＯＮ、１．２秒ＯＦＦの時限で、正転反転させ、内槽１４を固定した状態で、攪拌翼１５を３往復させる。こうすることにより、脱水時に内槽１４の壁面に張り付いていた衣類がはがれ、そして、衣類の布かさが増して空気との接触面積が大きくなって、以後の乾燥の進行が早くなるようにする。
【００３０】
次に、図１に示すようなクラッチ状態で、モータ２０を回転させ、内槽１４を３５ｒ／ｍｉｎの回転速度で１方向に回転させながら乾燥させる槽回転モードを１５分間行う。槽回転モードでは、１方向に内槽１４をゆっくりと回転させるだけなので、衣類は内槽１４の中で動くことがない。このため、含水量が多いためにからみやすい乾燥初期の段階において、衣類のねじれやからみを全く発生させることがなく、また、含水量が多いため、衣類を動かさなくても十分に乾燥は進行する。
【００３１】
次に内槽１４の回転を停止させ、ギアードモータ３９を駆動させてクラッチレバー２６を介して図２に示すようなクラッチ状態にして、モータ２０を０．５秒ＯＮ、４．５秒ＯＦＦの時限で、正転反転させ、内槽１４を固定しないフリーの状態で１６０ｒ／ｍｉｎの回転速度で正転反転させながら乾燥させる槽フリー攪拌モードを３０秒間行う。このとき衣類は、攪拌翼１５に設けられたリブ１７にひっかけられた状態で回転により生じた遠心力により、攪拌翼１５の外周側へと移動し、テーパ部１６により上方向への力を受け、攪拌翼１５の外周端部で跳ね上げられ、これを繰り返すことにより衣類を上下に入れ替える。回転しながら跳ね上げられた衣類は内槽１４の内壁側面と接触するが、内槽１４は回転フリーの状態であるため、衣類と内槽１４との摩擦により内槽１４は同方向に供回りする。
【００３２】
これにより、衣類と内槽１４との速度差を小さくすることができ、以降衣類と内槽１４との摩擦は抑制される。このため、衣類を上下に入れ替えながらも、衣類のねじれやからみを抑えることができ、しわの発生を抑え、むらなく乾燥させることができる。また、内槽１４が供回りしたとき、供回りの惰性回転が続くが、ＯＦＦ時間を４．５秒と大きくとっているため、惰性回転が停止しないうちに、攪拌翼１５を反転させることはない。このため、内槽１４と共に回転する衣類にカウンターの回転力を加えてしまうことで、ねじれやからみを発生させるようなことがないので、しわの発生を抑え、むらなく乾燥させることができる。
【００３３】
そして、再び槽回転モードを行い、以降順次、槽回転モードと槽フリー攪拌モードを繰り返すのであるが、乾燥の進行とともに、槽回転モードの時間を短く、槽フリー攪拌モードの時間を長くして、衣類の入れ替えの頻度を上げていき、むらなく乾燥を進行させていく。
【００３４】
乾燥終了近くの仕上げの段階に入ると、図３に示すようなクラッチ状態に切換え、モータ２０を０．４秒ＯＮ、１．２秒ＯＦＦの時限で、正転反転させ、内槽１４を固定した状態で攪拌翼１５を１６０ｒ／ｍｉｎの回転速度で正転反転させながら乾燥させる槽固定攪拌モードを行う。槽固定攪拌モードでは、内槽１４の惰性回転の停止を待つことなく、攪拌翼１５を頻繁に正転反転させることにより、衣類の上下の入れ替えを素早く行い、まんべんなく温風を当てて素早く乾燥を仕上げることができる。そしてヒータ３１を切り、乾燥用送風機３０、冷却用送風機３６を駆動する送風行程を行って、衣類をクールダウンさせた後に、全乾燥行程を終了させる。
【００３５】
このように本実施例によれば、制御手段３８は、乾燥行程において内槽１４を固定しない状態で、攪拌翼１５を正転反転させながら乾燥する槽フリー攪拌モードを行うことで、遠心力により攪拌翼１５の外周方向に跳ね上げられた衣類が内槽１４の内壁側面と接触する際の内槽１４の供回りにより、衣類と内槽１４の回転の速度差を小さくし、摩擦を抑えることができるので、衣類を上下に入れ替えながらも、ねじれやからみを抑制し、しわの発生を抑え、むらなく乾燥させることができる。
【００３６】
また、制御手段３８は、含水量が多くからみやすい乾燥初期の段階では、衣類を全く動かすことのない槽回転モードが主体の乾燥を行うことにより、衣類のねじれやからみを全く発生させずに乾燥させ、乾燥率が高くなり、衣類がからみにくくなるに従って、徐々に槽フリー攪拌モードが主体の行程へと移行し、衣類を上下に入れ換えながらも衣類のねじれやからみを抑制して乾燥させ、さらに乾燥の仕上げの段階で、回転翼１５を頻繁に正転反転させることにより、衣類の上下の入れ換えを素早く行うことのできる槽固定攪拌モードが主体の行程へと移行することで、まんべんなく温風を当てて乾燥させるので、しわの発生を抑え、むらなく乾燥させることができる。
【００３７】
また、制御手段３８は、槽フリー攪拌モードにおいて、モータ２０のＯＮ／ＯＦＦを時間制御することで攪拌翼１５を正転反転させ、ＯＦＦ時間を内槽１４の惰性回転が停止するのに十分な長さの時間としているので、攪拌翼１５を回転させたときに発生する内槽１４の同方向への惰性回転が終わらないうちに、攪拌翼１５を反転させることがない。このため、内槽１４と共に回転する衣類にカウンターの回転力を加えてしまうことで、ねじれやからみを発生させるようなことがないので、しわの発生を抑え、むらなく乾燥させることができる。
【００３８】
なお、本実施例では、ロータの回転を直接攪拌翼１５に伝達する駆動手段を用いているが、減速機構を有し、モータ２０の回転を攪拌翼１５に減速して伝達する駆動手段であっても構わない。また制御手段３８は、乾燥行程においてモータ２０及び駆動手段を制御して、槽フリー攪拌モードと、内槽を回転させながら乾燥する槽回転モードと、内槽１４を固定した状態で攪拌翼１５のみを回転させて乾燥する槽固定攪拌モードとを行わせたが、必ずしもこれに限られるものではなく、槽フリー攪拌モードに、他の少なくとも１モードを組合せて行うものであってもよい。
【００３９】
（実施例２）
次に本発明の第２の実施例について図４を参照しながら説明する。内槽１４は、流体バランサー１９の上部に複数のマグネット４２を備えており、マグネット４２の磁気を検知して、内槽１４の回転を検知する内槽回転検知手段４０を外槽１３の蓋３５の近傍に設けている。また、内槽１４の内壁側面には垂直方向に伸びたリブ４１を複数備えており、リブ４１の高さは攪拌翼１５の外周近傍では０で、上方にいくに従い、テーパ状に大きくなり、また、上端のリブ４１は内槽１４の略中央部で切れて、高さは０であり、下方にいくに従いテーパ状に大きくなる。その他の構成は上記実施例１と同じであり、同一符号を付して説明を省略する。
【００４０】
上記構成により、制御手段３８は、槽フリー攪拌モードにおいて、正転反転切換え時に、内槽１４の惰性回転が停止するのを検知してからモータ２０をＯＮすることができるので、攪拌翼１５を回転させたときに発生する内槽１４の同方向への供回りによる惰性回転が終わらないうちに、攪拌翼１５を反転させることがない。このため、内槽１４と共に回転する衣類にカウンターの回転力を加えてしまうことで、ねじれやからみを発生させるようなことがないので、しわの発生を抑え、むらなく乾燥させることができる。
【００４１】
また、内槽１４の内壁側面に垂直方向に伸びるリブ４１を設けているので、攪拌翼１５を正転反転させることで発生する遠心力により攪拌翼１５の外周方向に跳ね上げられた衣類が内槽１４の内壁側面と接触する際の内槽１４の供回りを、確実に引き起こすことができるため、衣類と供回り後の内槽１４との摩擦を確実に小さくすることができ、衣類のねじれやからみを抑制し、しわの発生を抑え、むらなく乾燥させることができる。また、リブ４１の高さは攪拌翼１５の外周近傍では０で、上方にいくに従いテーパ状に大きくなるようにしているので、攪拌翼１５を正転反転させることで発生する遠心力により攪拌翼１５の外周方向に跳ね上げられた衣類が内槽１４の内壁側面と接触する際に、リブ４１の下部により跳ね上げが妨害されることなく、内槽１４の供回りを安定して引き起こすことができる。このため、衣類のねじれやからみを抑制し、しわの発生を抑え、むらなく乾燥させることができる。
【００４２】
また、リブ４１の上端は内槽１４の高さ方向の略中央部で切れているので、リブ４１が内槽１４の上部まで伸びていないため、使用者が衣類を投入する際にリブ４１が物理的、心理的な障害となることがない。また、上端のリブ４１の高さは０で、下方にいくに従いテーパ状に大きくしているので、リブ４１の上に存在する衣類がリブ４１の上端部により引っかかることで、傷むこともないし、またねじれやからみの原因となることもなく、しわの発生を抑え、むらなく乾燥させることができる。
【００４３】
【発明の効果】
以上のように本発明の洗濯乾燥機によれば、乾燥行程での衣類の含水量に応じて衣類を適切に動かすことができ、しわの発生を抑え、むらなく乾燥させることができる。
【図面の簡単な説明】
【図１】  本発明の実施例１の槽回転モードにおける洗濯乾燥機の断面図
【図２】  同槽フリー攪拌モードにおける洗濯乾燥機の断面図
【図３】  同槽固定攪拌モードにおける洗濯乾燥機の断面図
【図４】  本発明の実施例２における洗濯乾燥機の断面図
【符号の説明】
１１  筐体
１３  外槽
１４  内槽
１５  攪拌翼
２０  モータ
３０  乾燥用送風機（送風手段）
３１  ヒータ（加熱手段）
３８  制御手段
４０  内槽回転検知手段
４１  リブ
【図１】
0003815311.tif 000002
【図２】
0003815311.tif 000003
【図３】
0003815311.tif 000004
【図４】
0003815311.tif 000005